(57)【要約】      （修正有）【課題】本考案による集魚装置では、簡単な構成で安価に製造でき、到達距離の長い光を照射できる集魚装置を提供する。【解決手段】本考案による集魚装置は、電源２とレーザー発生装置３と光分散手段４とからなり、少なくとも前記レーザー発生装置と前記光分散手段とが防水筐体６に一体的に収納されていることを特徴とする。【選択図】図１
0003208431.tif 000002
【実用新案登録請求の範囲】
【請求項１】
電源とレーザー発生装置と光分散手段とからなり、少なくとも前記レーザー発生装置と前記光分散手段とが防水筐体に一体的に収納されていることを特徴とする集魚装置。
【請求項２】
前記光分散手段がホログラム板、ホログラムシート、ホログラムテープ等のホログラムを利用した部材であることを特徴とする請求項１記載の集魚装置。
【請求項３】
前記光分散手段が表面に凹凸を設けたガラス或いはプラスチック部材であることを特徴とする請求項１記載の集魚装置。
【請求項４】
前記光分散手段が、前記レーザー発生装置から発生するレーザー光を反射分散させる手段を備えていることを特徴とする請求項１乃至３のいずれかに記載の集魚装置。
【請求項５】
前記電源、前記レーザー発生装置及び前記光分散手段のすべてが防水筐体に一体的に収納されていることを特徴とする請求項１乃至４のいずれかに記載の集魚装置。
【請求項６】
前記レーザー発生装置を間欠的に作動させる手段を設けたことを特徴とする請求項１乃至５のいずれかに記載の集魚装置。
【考案の詳細な説明】
【技術分野】
【０００１】  本考案は、漁業または趣味の釣りにおいて魚を集めるための装置に関する。
【背景技術】
【０００２】  漁業においては、夜間に魚を集めるために漁船上から海に向けてランプ照明を照らす方法が広く行われている。この方法ではランプは海上を照らすため深い深度まで光がなかなか届かないという問題点がある。また、ランプで海上を照らす場合は、光に寄ってきたプランクトンを捕食しようとして魚が寄ってくると考えられる。【０００３】  このような問題点を解決するため特許文献１では、光を反射又は散乱させる光学系を先端に取り付けた光ファイバーと、該光ファイバーを水中の任意の深さまで移動させる移動機構と、前記光ファイバー先端の光学系と反対の端面に設置されたプランクトンの発光と類似の波長の光を発振するレーザー照射手段とからなるレーザー集魚装置が提案されている。この装置においては、水上に設置したレーザー照射手段から光ファイバーを通して水中の投光ユニットにレーザー光を伝達し、投光ユニットにおいて光を反射、散乱させる構成となっている。この構成では、レーザー照射手段が水上にあるため、投光ユニットの防水密閉性が低くても故障の危険性は少ない。しかし、長い光ファイバーを使用しなければならず、また光ファイバー中でのレーザー光の減衰を考慮すると、レーザー照射手段も出力の大きなものを用意する必要があり、コストが高くなってしまうという問題点がある。【０００４】  一方特許文献２では、夜中の漁に於いて魚を誘うのに使用される水中ライトで、暗闇の海中にてより明るく且つ広くそして効果的に周囲を照らし多方向からよりたくさんの魚を集めるために、上記水中ライトに本考案の凹形円錐レンズを備えたＬＥＤ豆電球を用いることと、また上記凹形円錐レンズを備えたＬＥＤ豆電球の発する光線を更に明るく且つ広く拡散して照らすために本考案の表面に多数個のピラミッド状と縦長プリズム状を有する透明キャップの併用と、を特徴とする水中ライトが開示されている。この装置では、ＬＥＤランプを使用するため電源出力は小さくて済むが、ランプが無指向性で全方向に向けて光が照射されるため、光強度が弱くなってしまい到達距離が短くなるという問題点がある。また、ＬＥＤの光の場合、プランクトンを寄せるまでに時間が掛かる。【０００５】
【特許文献１】特開平１０−３２７７０７号公報
【特許文献２】実用新案登録第３１４４１３９号公報
【考案の開示】
【考案が解決しようとする課題】
【０００６】  上述のような従来技術の問題点に鑑みて本考案による集魚装置では、簡単な構成で安価に製造でき、到達距離の長い光を照射できる集魚装置を提供することを課題とする。
【課題を解決するための手段】
【０００７】  上記の課題を解決するため本考案による集魚装置は、電源とレーザー発生装置と光分散手段とからなり、少なくとも前記レーザー発生装置と前記光分散手段とが防水筐体に一体的に収納されていることを特徴とする。【０００８】  前記光分散手段がホログラム板、ホログラムシート、ホログラムテープ等のホログラムを利用した部材であっても良いし、また表面に凹凸を設けたガラス或いはプラスチック部材を使用することも可能である。【０００９】  光分散手段は、前記レーザー発生装置から発生するレーザー光を反射分散させる手段を備えていることが望ましい。【００１０】  前記電源、前記レーザー発生装置及び前記光分散手段のすべてが防水筐体に一体的に収納されていることも好適である。【００１１】  前記レーザー発生装置を間欠的に作動させる手段を設けると、より効果的である。
【考案の効果】
【００１２】  本考案による集魚装置では、レーザー照射手段として市販のレーザーポインターを使用することができ、また光分散手段として市販のホログラム板、ホログラムシート、ホログラムテープ等を使用することも可能である。レーザーを使用するため光源が指向性で効率が良く、光分散手段により反射・拡散させることにより所定の方向への到達距離の長い光を照射することができる。さらに、光源としてレーザーを使用することにより、ランプの光にプランクトンが集まり、魚が寄ってくるのとは異なり、プランクトン自体の発光に近いため、魚の活性を直接高める効果がある。
点灯してから魚が近寄ってくるまでの時間が短くて済む。
【考案を実施するための最良の形態】
【実施例】
【００１３】  以下、実施例に基づいて本考案の好適な実施態様について説明する。図１は、本考案による集魚装置の第１の実施例を示す平面図である。この実施例は水上に浮遊して水中を照らすことを目的としている。水上に浮遊できる部材により形成した筐体６上に、電源スイッチ１、電源２としての乾電池、レーザー発生装置３としてのレーザーポインター、及び市販のホログラムシートを貼付した光分散手段４が配置されている。透明窓７は、光分散手段４にて反射されたレーザー光を水中に照射するために設けてある。間欠オン・オフ装置５は必須ではないが、レーザー光を長時間照射し続けると装置自体が発熱してしまうため、間欠照射として発熱を抑制することができる。【００１４】  図２にレーザー照射中の第１の実施例の要部断面図を示した。集魚装置本体（筐体）６は水面２０上に浮遊している。電源スイッチ１をオンにするとレーザー発生装置３が作動しレーザー光１１が水平方向に照射される。レーザー光１１は光分散手段４により９０度下に反射されるが、この光分散手段４にはホログラムシート等の光分散部材を備えているため、そのまま反射されるのではなく、所定の角度内で分散される。この分散された反射光１２が図１に示した透明窓７を通して水中に放射される。この分散は、均一に分散されるわけではなく、所定の濃淡パターンで分散されるため、最初のレーザー光が複数のビームに分かれるという概念である。【００１５】  図３には、本考案による集魚装置の第２の実施例を示した。この実施例では、電源スイッチ１、電源２としての乾電池、レーザー発生装置３としてのレーザーポインター、及び市販のホログラムシートを貼付した光分散手段４が、筐体６内に直列に配置されている。この実施例は第１の実施例とは異なり、水中に入ることを前提として構成されている。そのため、筐体６自体は浮遊する必要はないが、水中に入るためより高い防水性が求められる。【００１６】  この実施例の場合、ルアーのように魚等の形状に似せて作成することも可能であり、また釣り糸に取り付けて水中に沈めることもできる。従って、光分散手段４は第１の実施例と同様に反射型とすることも可能であるが、透過分散型としてレーザー光を反射させずに透過分散させることも好適である。【００１７】  上記実施例においては、光分散手段としてホログラムシートを例に挙げたが、これに限定されるものではなく、本考案の機能を実現できるものであれば、ホログラム板はホログラムテープだけでなく、表面に凹凸を設けたガラス或いはプラスチック部材を使用することも可能である。
【産業上の利用可能性】
【００１８】  以上述べたように、本考案による集魚装置では、レーザー照射手段として市販のレーザーポインターを使用することができ、また光分散手段として市販のホログラム板、ホログラムシート、ホログラムテープ等を使用することも可能である。レーザーを使用するため光源が指向性で効率が良く、光分散手段により反射・拡散させることにより所定の方向への到達距離の長い光を照射することができる。従って、漁業や趣味の釣り等において大いに利用できるものである。
【図面の簡単な説明】
【００１９】
【図１】本考案による集魚装置の第１の実施例を示す平面図である。
【図２】レーザー照射中の第１の実施例の要部断面図を示す。
【図３】本考案による集魚装置の第２の実施例を示す。
【符号の説明】
【００２０】１    電源スイッチ
２    電源
３    レーザー発生装置
４    光分散手段
５    間欠オン・オフ装置
６    筐体
７    透明窓
１１  レーザービーム
１２  反射光
２０  水面
【図１】
0003208431.tif 000003
【図２】
0003208431.tif 000004
【図３】
0003208431.tif 000005